(57)【要約】【課題】映像表示装置に設けられ、周囲の明るさに影響されることなく見やすく、視聴の邪魔になったり違和感を感じことのない輝度で表示を行うインジケータを提供する。【解決手段】映像表示装置の周囲環境の照度を検出して照度検出信号Ｓdを出力する照度センサー２と、映像表示装置の動作状態を発光表示する発光素子１と、照度検出信号Ｓdのレベルに応じて発光素子１の発光輝度を調整する制御部３を備えて構成する。【選択図】  図１
2008252763.tif 000002
【特許請求の範囲】
【請求項１】
映像表示装置に設けられ映像表示装置の動作状態を表示するインジケータであって、
前記映像表示装置の周囲環境の照度を検出して照度検出信号を出力する照度センサーと、
前記動作状態を発光表示する発光素子と、
前記照度検出信号のレベルに応じて、前記発光素子の発光輝度を調整する制御手段と、
を有することを特徴とするインジケータ。
【請求項２】
映像表示装置に設けられ映像表示装置の動作状態を表示するインジケータであって、
前記映像表示装置の周囲環境の照度を検出して照度検出信号を出力する照度センサーと、
前記動作状態を発光表示する発光素子と、
前記映像表示装置に表示される映像の輝度と前記照度検出信号のレベルに応じて、前記発光素子の発光輝度を調整する制御手段と、
を有することを特徴とするインジケータ。
【請求項３】
映像表示装置に設けられ映像表示装置の動作状態を表示する発光素子の発光輝度、を調節する自動調光装置であって、
前記映像表示装置の周囲環境の照度を検出して照度検出信号を出力する照度センサーと、
前記照度検出信号のレベルに応じて、前記発光素子の発光輝度を調整する制御手段と、
を有することを特徴とする自動調光装置。
【請求項４】
映像表示装置に設けられ映像表示装置の動作状態を表示する発光素子の発光輝度、を調節する自動調光装置であって、
前記動作状態を発光表示する発光素子と、
前記映像表示装置に表示される映像の輝度と前記照度検出信号のレベルに応じて、前記発光素子の発光輝度を調整する制御手段と、
を有することを特徴とする自動調光装置。
【請求項５】
前記発光素子は、複数の動作項目の動作状態を表示する複数の表示素子からなり、
前記制御手段は、前記照度検出信号のレベルに応じて、前記複数の表示素子の発光輝度を調整すること、
を特徴とする請求項１に記載のインジケータ。
【請求項６】
前記発光素子は、複数の動作項目の動作状態を表示する複数の表示素子からなり、
前記制御手段は、前記映像表示装置に表示される映像の輝度と前記照度検出信号のレベルに応じて、前記複数の表示素子の発光輝度を調整すること、
を特徴とする請求項２に記載のインジケータ。
【請求項７】
前記発光素子は、複数の動作項目の動作状態を表示する複数の表示素子からなり、
前記制御手段は、前記照度検出信号のレベルに応じて、前記複数の表示素子の発光輝度を調整すること、
を特徴とする請求項３に記載の自動調光装置。
【請求項８】
前記発光素子は、複数の動作項目の動作状態を表示する複数の表示素子からなり、
前記制御手段は、前記映像表示装置に表示される映像の輝度と前記照度検出信号のレベルに応じて、前記複数の表示素子の発光輝度を調整すること、
を特徴とする請求項４に記載の自動調光装置。
【発明の詳細な説明】
【技術分野】
【０００１】
本発明は、例えばテレビジョン受像機やモニタ装置等の映像表示装置に設けられるインジケータとその自動調光装置に関する。
【背景技術】
【０００２】
テレビジョン受像機やモニタ装置等の映像表示装置には、電源のオン／オフ、スタンバイ電源のオン／オフ等、動作状況を視認可能に表示するためインジケータが設けられ、インジケータの光源として発光ダイオード（ＬＥＤ：Light Emitting Diode）が設けられている。
【０００３】
一般には、光出射面の小さい発光ダイオードが映像表示装置の画面よりずれた視認性の良好な前面パネル部等に設けられ、一定輝度で発光させて動作状態を表示するようになっている。
【発明の開示】
【発明が解決しようとする課題】
【０００４】
ところで、経験的に知られているが、テレビジョン受像機で放送番組等を視聴する際、周囲が暗い環境のときほど発光ダイオードがぎらついて見えるため、違和感を感じたり、視聴の邪魔になり、周囲が明るい環境のときほど見難くなるという問題があった。
【０００５】
本発明は、こうした従来の映像表示装置における問題に鑑みてなされたものであり、周囲の明るさに影響されることなく見やすく、視聴の邪魔になったり違和感を感じることのないインジケータと、その調光装置を提供することを目的とする。
【課題を解決するための手段】
【０００６】
請求項１に記載の発明は、映像表示装置に設けられ映像表示装置の動作状態を表示するインジケータであって、前記映像表示装置の周囲環境の照度を検出して照度検出信号を出力する照度センサーと、前記動作状態を発光表示する発光素子と、前記照度検出信号のレベルに応じて、前記発光素子の発光輝度を調整する制御手段と、を有することを特徴とする。
【０００７】
請求項２に記載の発明は、映像表示装置に設けられ映像表示装置の動作状態を表示するインジケータであって、前記映像表示装置の周囲環境の照度を検出して照度検出信号を出力する照度センサーと、前記動作状態を発光表示する発光素子と、前記映像表示装置に表示される映像の輝度と前記照度検出信号のレベルに応じて、前記発光素子の発光輝度を調整する制御手段と、を有することを特徴とする。
【０００８】
請求項３に記載の発明は、映像表示装置に設けられ映像表示装置の動作状態を表示する発光素子の発光輝度、を調節する自動調光装置であって、前記映像表示装置の周囲環境の照度を検出して照度検出信号を出力する照度センサーと、前記照度検出信号のレベルに応じて、前記発光素子の発光輝度を調整する制御手段と、を有することを特徴とする。
【０００９】
請求項４に記載の発明は、映像表示装置に設けられ映像表示装置の動作状態を表示する発光素子の発光輝度、を調節する自動調光装置であって、前記動作状態を発光表示する発光素子と、前記映像表示装置に表示される映像の輝度と前記照度検出信号のレベルに応じて、前記発光素子の発光輝度を調整する制御手段と、を有することを特徴とする。
【発明を実施するための最良の形態】
【００１０】
本発明の好適な実施形態について図１を参照して説明する。図１（ａ）は、テレビジョン受像機やモニタ装置等の映像表示装置に設けられた場合のインジケータの取り付け位置等を例示するための説明図、図１（ｂ）はインジケータの構成を表したブロック図、図１（ｃ）はインジケータの機能を説明するための説明図である。
【００１１】
図１（ｂ）において、本実施形態のインジケータは、発光源となる発光素子１に発光ダイオードが用いられ、周囲環境の照度を検出する照度センサー２と、その照度センサー２の検出出力に基づいて発光素子１の発光輝度を自動調節する制御部３とを有して構成されている。また、照度センサー２には、人の視感度に近い分光感度特性を有するフォトダイオードやフォトトランジスタ等の光電変換素子が用いられ、制御部３には、マイクロプロセッサ（ＭＰＵ）又はハードウェア構成の電子回路が用いられている。
【００１２】
そして、図１（ａ）に例示するように、テレビジョン受像機やモニタ装置等の画面からずれた視認性の良好な前面パネル部に、発光素子１が光出射面を外に向けて設けられ、更に前面パネル部の画面中央の部分等に、照度センサー２が光入射面を外に向けて設けられる。
【００１３】
次に、本実施形態のインジケータの機能について説明する。
【００１４】
制御部３は、テレビジョン受像機やモニタ装置等の映像表示装置の動作状態を示す信号、例えば電源オン等の動作状態を示す信号（以下、「モード信号」と称する）Ｓmodが入力され、モード信号Ｓmodに従って発光素子１に駆動電流Ｉdを供給することで発光させ、電源オフとなってモード信号Ｓmodが入力されなくなると電流供給を遮断して消灯させる。
【００１５】
更に、制御部３は、照度センサー２から出力される照度検出信号Ｓdのレベルを計測し、計測したレベルに応じて、発光素子１に供給している駆動電流Ｉdの電流値を自動的に増減調整する。
【００１６】
ここで、制御部３は、次に述べる処理によって駆動電流Ｉdの電流値を自動的に増減調整する。
【００１７】
まず、闇の状態を最低照度（０ルックス）、映像表示装置の画面に表示される映像を良好な状態で視聴できる周囲環境の限界の照度を最大照度（約５００ルックス）とし、周囲環境の照度が最低照度から最大照度まで変化した際に、照度センサー２から出力される照度検出信号Ｓdのレベル変化の範囲をダイナミックレンジＷに決めておく。そして、最低照度から最大照度までの範囲内で、人が暗いと感じる範囲から明るいと感じる範囲の照度を複数段階（本実施形態では３段階）に分割し、その分割したそれぞれの照度範囲に対応させて上述のダイナミックレンジＷを分割する。これにより、ダイナミックレンジＷを暗い照度範囲ＷLOW、中間的な明るい照度範囲ＷMID、明るい照度範囲ＷHIGHに区分し、暗い照度範囲ＷLOWと中間的な明るい照度範囲ＷMIDとの境界レベルを閾値ＴＨ１、中間的な明るい照度範囲ＷMIDと明るい照度範囲ＷHIGHとの境界レベルを閾値ＴＨ２に決めておく。
【００１８】
具体的に例示すると、照度が０(lx：ルックス)から２０（lx）の範囲を暗い照度範囲ＷLOWとして、２０（lx）に対応するダイナミックレンジＷにおける閾値をＴＨ１、照度が２０(lx)から１５０（lx）の範囲を中間的な明るい照度範囲ＷMIDとして、１５０（lx）に対応するダイナミックレンジＷにおける閾値をＴＨ２に決める。
【００１９】
以上のようにして決められた閾値ＴＨ１，ＴＨ２が、予め制御部３に初期設定され記憶されている。
【００２０】
制御部３は、照度センサー２から出力される照度検出信号Ｓdの所定時間Ｔ毎の平均レベルＬを演算して閾値ＴＨ１，ＴＨ２と比較し、周囲環境の照度を判定する処理を繰り返す。こうして、照度検出信号Ｓdの平均レベルＬを演算することで、照度検出信号Ｓdに混入しているノイズを除去すると共に、周囲環境の照度が短時間で変化した場合に、駆動電流Ｉdを急激に増減調整しないようにしている。
【００２１】
そして、平均レベルＬと閾値ＴＨ１，ＴＨ２との比較の結果、図１（ｃ）に示すように、平均値レベルＬが、０≦Ｌ＜ＴＨ１の範囲のときには、周囲環境の照度Ｄが暗い範囲内にあると判定し、発光素子１に低輝度（ＬＯＷ）で発光させる駆動電流Ｉd(LOW)を供給する。
【００２２】
また、平均値レベルＬが、ＴＨ１≦Ｌ＜ＴＨ２の範囲のときには、周囲環境の照度Ｄが中間的な明るい範囲内にあると判定し、発光素子１に中間輝度（ＭＩＤ）で発光させる駆動電流Ｉd(MID)を供給し、また、平均値レベルＬが、ＴＨ２＜Ｌの範囲のときには、周囲環境の照度Ｄが明るい範囲内にあると判定し、発光素子１に高輝度（ＨＩＧＨ）で発光させる駆動電流Ｉd(HIGH)を供給する。
【００２３】
以上に説明したように、本実施形態のインジケータによれば、照度センサー２によって周囲環境の照度を逐一検出し、その検出結果を制御部３が平均化して所定の閾値ＴＨ１，ＴＨ２と比較することで、人に与える周囲環境の明るさを判定することとなる。そして、周囲環境の照度が暗い範囲のときには、発光素子１に供給する駆動電流ＩｄをＩd(LOW)に低減することで低輝度発光させ、周囲環境の照度が中間的な明るさの範囲のときには、発光素子１に供給する駆動電流Ｉｄを中間の電流値Ｉd(MID)に設定することで中間輝度で発光させ、周囲環境の照度が明るい範囲のときには、発光素子１に供給する駆動電流Ｉｄを大きな電流値Ｉd(HIGH)に設定することで高輝度発光させるので、周囲環境の照度の変化に相応させて発光素子１の輝度を調整させることができる。
【００２４】
このため、周囲環境が低照度のときには、発光素子１が低輝度発光することで、テレビジョン放送等を視聴しているユーザーに対して「ぎらつき」等を防止し、違和感を感じさせることなく、視聴させることができる。更に、周囲環境が低照度のときには、発光素子１が低輝度発光しても輝度不足とはならずに視認性を確保することができ、インジケータとしての機能を損なうことがない。
【００２５】
また、周囲環境が中間的な照度のときにも、その照度に相応して発光素子１が中間輝度発光することで、テレビジョン放送等を視聴しているユーザーに対して「ぎらつき」等を防止し、違和感を感じさせることなく、視聴させることができる。更に、周囲環境が中間的な照度のときには、それに相応して発光素子１も中間輝度で発光するため、輝度不足または輝度過大とはならずに視認性を確保することができ、インジケータとしての機能を損なうことがない。
【００２６】
また、周囲環境が明るい範囲の照度のときには、その照度に相応して発光素子１が高輝度発光することで視認性を向上させ、高輝度発光であっても周囲環境が明るいので、テレビジョン放送等を視聴しているユーザーに対して「ぎらつき」等を防止し、違和感を感じさせることなく、視聴させることができる。更に、周囲環境が明るい範囲の照度のときには、それに相応して発光素子１も高輝度発光するため、輝度不足または輝度過大とはならずに視認性を確保することができ、インジケータとしての機能を損なうことがない。
【００２７】
このように本実施形態のインジケータは、人の視感に相応させて発光素子１の輝度を自動調整するので、テレビジョン放送等を視聴するユーザーに対して、周囲の明るさに影響されることなく見やすく、視聴の邪魔になったり違和感を感じさせることなく、視聴を続けさせることができ、優れた効果を発揮するものである。
【００２８】
なお、以上の説明では、発光素子１と照度センサー２と制御部３を含めてインジケータとしているが、照度センサー２と制御部３を、発光素子１の輝度を調整する自動調光装置として提供することも可能である。
【００２９】
また、制御部３は、上述したように、プログラムで操作するマイクロプロセッサ（ＭＰＵ）で形成してもよいし、ハードウェア構成としてもよい。また、本実施形態のインジケータは、ディシタル信号処理を行う構成によっても、アナログ信号処理を行う構成によっても実現することが可能である。
【実施例１】
【００３０】
次に、上述した実施形態をより発展させた実施例について、図２を参照して説明する。図２（ａ）は、本実施例のインジケータの構成を表したブロック図、図２（ｂ）〜（ｄ）は、機能を説明するための説明図である。
【００３１】
図２（ａ）において、本実施例のインジケータでは、テレビジョン受像機やモニタ装置等の映像表示装置が映像表示する際に生成する映像信号（輝度成分の信号）Ｓavと、ユーザーが映像表示装置に設定した「映像の最大輝度」を示す調整信号Ｓcntが、制御部３に入力されるようになっている。
【００３２】
制御部３は、入力した映像信号Ｓavを時間平均演算することで、複数ｎ（ｎは固定値）のフレーム期間又は複数ｍ（ｍは固定値）のフィールド期間毎の映像の平均輝度を求め、上述した調整信号Ｓcntに基づいてその平均輝度を正規化して平均輝度レベル信号ＬＡＶを生成する。つまり、上述した映像の最大輝度を基準として、映像の最大輝度に対する平均輝度を平均輝度レベル信号ＬＡＶとして生成する。これにより、平均輝度レベル信号ＬＡＶのダイナミックレンジＡと、映像の輝度が０％から最大輝度１００％まで変化する輝度範囲との対応付けがなされることとなる。
【００３３】
更に、制御部３は、上述した調整信号Ｓcntによって示される映像の最大輝度を平均輝度レベル信号ＬＡＶのダイナミックレンジＡにおける最大値として、そのダイナミックレンジＡを複数分割（本実施例では３分割）することで、そのダイナミックレンジＡを暗い輝度範囲ＡLOW、中間的な明るい輝度範囲ＡMID、明るい輝度範囲ＡHIGHに区分し、暗い輝度範囲ＡLOWと中間的な明るい輝度範囲ＡMIDとの境界レベルを閾値ＴＡ１、中間的な明るい輝度範囲ＡMIDと明るい輝度範囲ＡHIGHとの境界レベルを閾値ＴＡ２とする。
【００３４】
ここで、制御部３は、実施形態で説明した閾値ＴＨ１，ＴＨ２と同様の範囲設定に基づいて、閾値ＴＡ１，ＴＡ２も設定する。つまり、実施形態で説明した照度に関するダイナミックレンジＷにおける閾値ＴＨ１，ＴＨ２に比例させて、平均輝度レベル信号ＬＡＶのダイナミックレンジＡにおける閾値ＴＡ１，ＴＡ２を演算する。これにより、映像の輝度に関する暗い輝度範囲ＡLOWと中間的な明るい輝度範囲ＡMIDと明るい輝度範囲ＡHIGHが、周囲環境の照度に関する暗い輝度範囲ＡLOWと中間的な明るい輝度範囲ＡMIDに対応付けられることとなり、映像の輝度についても周囲環境の照度と同様に、人の視感に合わせた設定がなされることとなる。
【００３５】
更に、制御部３は、実施形態で説明したように、照度センサー２から出力される照度検出信号Ｓｄの平均レベルＬを演算し、閾値ＴＨ１，ＴＨ２と比較することで、周囲環境の照度が照度範囲ＷHIGH，ＷMID，ＷLOWの何れに属するか判定し、照度範囲ＷHIGHのときには、駆動電流Ｉｄの電流値を候補値Ｉd(HIGH)、照度範囲ＷMIDのときには、駆動電流Ｉｄの電流値を候補値Ｉd(MID)、照度範囲ＷLOWのときには、駆動電流Ｉｄの電流値を候補値Ｉd(LOW)とする。
【００３６】
そして、平均輝度レベル信号ＬＡＶと閾値ＴＡ１，ＴＡ２とを比較した結果、平均輝度レベル信号ＬＡＶが、０≦ＬＡＶ＜ＴＡ１の範囲のときには、候補値Ｉd(HIGH)を選択して駆動電流Ｉｄの上限電流値に決め、駆動電流Ｉｄが０ないし候補値Ｉd(HIGH)の範囲内の電流値に収まるように、駆動電流Ｉｄを平均レベルＬに線形比例させた電流値に無段階調整しつつ、発光素子１に供給して発光させる。つまり、ダイナミックレンジＷとＡに相当する範囲内で、駆動電流Ｉｄを平均レベルＬに線形比例させた電流値に無段階調整しつつ、発光素子１に供給して発光させる。
【００３７】
これにより、図２（ｂ）に示すように、候補値Ｉd(HIGH)を上限として、平均レベルＬに線形比例した駆動電流Ｉｄが発光素子２に供給され、発光素子２は、実施形態で説明した高輝度（ＨＩＧＨ）を上限として発光する。
【００３８】
また、制御部３が平均輝度レベル信号ＬＡＶと閾値ＴＡ１，ＴＡ２とを比較した結果、平均輝度レベル信号ＬＡＶが、ＴＡ１＜ＬＡＶ≦ＴＡ２の範囲のときには、候補値Ｉd(MID)を選択して駆動電流Ｉｄの上限電流値に決め、駆動電流Ｉｄが０ないし候補値Ｉd(MID)の範囲内の電流値に収まるように、駆動電流Ｉｄを平均レベルＬに線形比例させた電流値に無段階調整しつつ、発光素子１に供給して発光させる。
【００３９】
これにより、図２（ｃ）に示すように、候補値Ｉd(MID)を上限として、平均レベルＬに線形比例した駆動電流Ｉｄが発光素子２に供給され、発光素子２は、実施形態で説明した中間輝度（ＭＩＤ）を上限として発光する。
【００４０】
また、制御部３が平均輝度レベル信号ＬＡＶと閾値ＴＡ１，ＴＡ２とを比較した結果、平均輝度レベル信号ＬＡＶが、ＴＡ２＜ＬＡＶの範囲のときには、候補値Ｉd(LOW)を選択して駆動電流Ｉｄの上限電流値に決め、駆動電流Ｉｄが０ないし候補値Ｉd(LOW)の範囲内の電流値に収まるように、駆動電流Ｉｄを平均レベルＬに線形比例させた電流値に無段階調整しつつ、発光素子１に供給して発光させる。
【００４１】
これにより、図２（ｄ）に示すように、候補値Ｉd(LOW)を上限として、平均レベルＬに線形比例した駆動電流Ｉｄが発光素子２に供給され、発光素子２は、実施形態で説明した低輝度（ＬＯＷ）を上限として発光する。
【００４２】
なお、上述した駆動電流Ｉｄが０ないし候補値Ｉd(HIGH)の範囲内の電流値に収まるように、駆動電流Ｉｄを調整するための技術的手法として、０ないし候補値Ｉd(HIGH)の範囲と照度に関するダイナミックレンジＷとの比例関係に基づいて係数Ｋを決め、平均レベルＬを係数Ｋで線形比例させて駆動電流Ｉｄを容易に設定することができるため、本実施例では、分圧抵抗（分割抵抗）を用いて、平均レベルＬに比例した駆動電流Ｉｄを生じさせるようにしている。ただし、自動利得制御回路（ＡＧＣ）や利得可変増幅器を用いてもよい。
【００４３】
また、平均輝度レベル信号ＬＡＶと閾値ＴＡ１，ＴＡ２とを比較した結果、候補値Ｉd(MID)又はＩd(LOW)を選択した場合にも、上述した平均輝度レベル信号候補値Ｉd(HIGH)を選択した場合と同様に、本実施例では、分圧抵抗（分割抵抗）を用いて、平均レベルＬに比例した駆動電流Ｉｄを生じさせるようにしている。
【００４４】
以上に説明したように、本実施例のインジケータによれば、照度センサー２によって周囲環境の照度を逐一検出し、その検出結果を制御部３が平均化して閾値ＴＨ１，ＴＨ２と比較することで、人に与える周囲環境の明るさの影響を判定し、更に、映像信号Ｓavも逐一検出し、その検出結果を制御部３が平均化して閾値ＴＡ１，ＴＡ２と比較することで、人に与える映像表示装置の画面に映し出される映像の明るさの影響も判定することとなる。そして、両者の判定結果に基づいて、発光素子１に供給する駆動電流Ｉｄを調整するので、周囲環境の照度と映像表示装置の画面に映し出される映像の輝度との変化に相応させて、発光素子１の発光輝度を自動調整することが可能である。
【００４５】
このため、周囲環境が低照度ないし高照度の何れの照度であってもその照度に相応し、且つ映像表示装置の画面に映し出される映像の輝度に相応して、発光素子１の発光輝度が変化するので、テレビジョン放送映像などを視聴しているユーザーは、周囲環境が暗い場合や明るい場合を問わず、発光素子１の発光に対して違和感を感じることなく、視聴の邪魔とならず、テレビジョン放送映像などを視聴することができる。
【００４６】
特に、映像表示装置の画面に映し出される映像の輝度が低下すると、発光素子１の発光輝度も低下し、映像表示装置の画面に映し出される映像の輝度が上がると、発光素子１の発光輝度も上がることになるため、テレビジョン放送映像などを視聴しているユーザーに対して、良好な視聴環境を提供することができる。
【００４７】
なお、本実施例においても、照度センサー２と制御部３を、発光素子１の輝度を調整する自動調光装置として提供することが可能である。
【００４８】
また、制御部３は、プログラムで操作するマイクロプロセッサ（ＭＰＵ）で形成してもよいし、ハードウェア構成としてもよい。また、本実施例のインジケータにおいても、ディシタル信号処理を行う構成によっても、アナログ信号処理を行う構成によっても実現することが可能である。
【実施例２】
【００４９】
次に、上述した実施形態をより発展させた他の実施例について、図３（ａ）を参照して説明する。
【００５０】
本実施例のインジケータは、複数の発光素子１ａ〜１ｄを備え、映像表示装置における複数の動作項目について、それぞれ個別に発光素子１ａ〜１ｄによってインジケートすることを可能にするものである。例えば、映像表示装置における電源のオン／オフ、スタンバイ電源のオン／オフ、就寝時に設定されるお休みタイマーのオン／オフ、ローカルエリアネットワーク（ＬＡＮ）に接続されたことの有無（オン／オフ）などをインジケートすることを可能にするものである。
【００５１】
制御部３は、ユーザーが映像表示装置に設定した上述の動作項目を示すモード信号Ｓmodが入力されるように接続されており、基本的には、図１に示した実施形態と同じ機能を有している。
【００５２】
ここで、図１に示した実施形態との相違点を述べると、制御部３には、複数個の発光素子１ａ〜１ｄの存在に対応させて、個別に駆動電流Ｉda〜Ｉddを供給するための電流源が設けられている。
【００５３】
更に、発光素子１ａ〜１ｄの各発光色が異なり、例えば、発光素子１ａは青色、発光素子１ｂは赤色、発光素子１ｃは橙色、発光素子１ｄは緑色となっている。そして、上述した複数の各動作項目に対応して、発光素子１ａ〜１ｄに駆動電流Ｉda〜Ｉddを供給する。
【００５４】
なお、モード信号Ｓmodは、各動作項目毎のオン／オフを示す信号であり、各動作項目を選択するための信号ではない。したがって、例えば発光素子１ａを発光させると、他の発光素子１ｂ〜１ｄを消灯させると言うことではなく、モード信号Ｓmodは個々の発光素子１ａ〜１ｄを個別に、それぞれの動作項目に従ってオン／オフ指定する信号となっている。
【００５５】
次に、動作を説明する。
照度センサー２によって周囲環境の照度を逐一検出し、その照度検出信号Ｓdを制御部３が入力して平均レベルＬを演算し、平均レベルＬと閾値ＴＨ１，ＴＨ２との比較結果に基づいて、図１（ｃ）に示したように候補値Ｉd(HIGH)，Ｉd(MID)，Ｉd(LOW)のうち、周囲環境の照度に相応する候補値を選択する。そして、制御部３は、発光素子１ａ〜１ｄのうち、モード信号Ｓmodに従って動作状態がオンとなって発光素子への駆動電流の供給を遮断しておき、候補値Ｉd(HIGH)を選択した場合には、その候補値Ｉd(HIGH)と等しい駆動電流を、オンとなっている発光素子へ供給してさせる。また、候補値Ｉd(MID)を選択した場合には、その候補値Ｉd(MID)と等しい駆動電流を、オンとなっている発光素子へ供給してさせ、候補値Ｉd(LOW)を選択した場合には、その候補値Ｉd(LOW)と等しい駆動電流を、オンとなっている発光素子へ供給してさせて発光させる。そして処理を繰り返す。
【００５６】
以上に説明した本実施例によれば、複数の発光素子１ａ〜１ｄを備えることで、映像表示装置における複数の動作項目について、それぞれ個別に発光素子１ａ〜１ｄによってインジケートすることができる。
【００５７】
更に、個々の発光素子１ａ〜１ｄの輝度を、人の視感に相応させて自動調整することができ、テレビジョン放送等を視聴するユーザーに対して、周囲の明るさに影響されることなく見やすく、視聴の邪魔になったり違和感を感じさせることなく、視聴を続けさせることができ、優れた効果を発揮する。
【００５８】
また、以上の説明では、個々の発光素子１ａ〜１ｄに供給する駆動電流Ｉda〜Ｉddは、周囲環境の照度に相応して同じ電流値の駆動電流としているが、発光素子１ａ〜１ｄの発光輝度特性が相互に異なっているため、周囲環境の照度に相応して均一の発光輝度で発光するように、駆動電流Ｉda〜Ｉddの個々の電流値を調整して発光素子１ａ〜１ｄを駆動してもよい。かかる構成とすると、発光素子１ａ〜１ｄの輝度が揃うので、視覚効果を高めることができる。
【００５９】
また、以上の説明では、図１に示した実施形態の変形例としての実施例を説明したが、図２に示した第１の実施例に係る変形例とすることも可能である。
【００６０】
つまり、図３（ｂ）に示すように、図３（ａ）に示した制御部３に映像信号Ｓavを入力し、照度センサー２から供給される照度検出信号Ｓｄに対する信号処理を図１に示した実施形態と同様に行う構成とし、周囲環境の照度に相応する候補値を候補値Ｉd(HIGH)，Ｉd(MID)，Ｉd(LOW)から選択して、その選択した候補値の駆動電流を、モード信号Ｓmodに基づいてオンに設定した発光素子に供給すればよい。
【００６１】
かかる構成によれば、周囲環境の照度と映像表示装置の画面に映し出される映像の輝度とに相応させて、個々の発光素子１ａ〜１ｄを輝度調整することができる。
【００６２】
なお、以上の説明では、発光素子１と照度センサー２と制御部３を含めてインジケータとしているが、照度センサー２と制御部３を、発光素子１の輝度を調整する自動調光装置として提供することも可能である。
【００６３】
また、制御部３は、プログラムで操作するマイクロプロセッサ（ＭＰＵ）で形成してもよいし、ハードウェア構成としてもよい。また、本実施形態のインジケータは、ディシタル信号処理を行う構成によっても、アナログ信号処理を行う構成によっても実現することが可能である。
【図面の簡単な説明】
【００６４】
【図１】図１（ａ）は、実施形態における、テレビジョン受像機やモニタ装置等の映像表示装置に設けられた場合のインジケータの取り付け位置等を例示するための説明図、図１（ｂ）はインジケータの構成を表したブロック図、図１（ｃ）はインジケータの機能を説明するための説明図である。
【図２】図２（ａ）は、実施例１のインジケータの構成を表したブロック図、図２（ｂ）〜（ｄ）は、機能を説明するための説明図である。
【図３】図３（ａ）は、実施例２のインジケータの構成を表したブロック図、図３（ｂ）は変形例のインジケータの構成を表したブロック図である。
【符号の説明】
【００６５】
１…発光素子
２…照度センサー
３…制御部
【図１】
2008252763.tif 000003
【図２】
2008252763.tif 000004
【図３】
2008252763.tif 000005